(57)【要約】【課題】本発明は、熱交換装置とそれを用いた発熱体収納装置に関するもので、熱交換効率の向上を図ることを目的とする。【解決手段】前面に第１環境用の第１吸気口７と第１吐出口８ａ、８ｂを設け、背面に第２環境用の第２吸気口９および第２吐出口１０ａ、１０ｂを設けた本体ケース１１と、この本体ケース１１内に設けられた第１の環境用の第１送風ファン１２および第２の環境用の第２送風ファン１３と、本体ケース１１内において第１環境の空気と第２環境の空気との熱交換を行う第１熱交換器１４、第２熱交換器１５とを備え、第１送風ファン１２，第２送風ファン１３と第１熱交換器１４、第２熱交換器１５を略一列に配置し、第１熱交換器１４、第２熱交換器１５と本体ケース１１の側面１１ａとの間に第１、または第２の送風ファンから第１熱交換器１４、第２熱交換器１５へと連絡する送風路（外気送風路１６、内気送風路１７）を設けたものである。【選択図】図３
2011220537.tif 000002
【特許請求の範囲】
【請求項１】
前面に第１環境用の第１吸気口と第１吐出口を設け、背面に第２環境用の第２吸気口および第２吐出口を設けた本体ケースと、この本体ケース内に設けられた第１の環境用の第１の送風ファンおよび第２の環境用の第２の送風ファンと、前記本体ケース内において第１環境の空気と第２環境の空気との熱交換を行う複数の熱交換器とを備え、前記第１、第２の送風ファンと複数の前記熱交換器を略一列に配置し、前記熱交換器と前記本体ケースの壁面との間に前記第１または／および第２の送風ファンから前記熱交換器へと連絡する送風路を設けた熱交換装置。
【請求項２】
前記熱交換器は、第１の熱交換器と第２の熱交換器であり、前記本体ケースの１つの側面側から第１の送風ファン、第１の熱交換器、第２の熱交換器、第２の送風ファンの順で配置し、前記第１、第２の熱交換器の第１環境の空気吸込口を第１の送風ファン側に向け、前記送風路は、第１環境の空気を通す第１環境用送風路と、第２環境の空気を通す第２環境用送風路である請求項１記載の熱交換装置。
【請求項３】
前記第１環境用送風路、第２環境用送風路はともに前記本体ケースの同一の側面に沿って形成された請求項２記載の熱交換装置。
【請求項４】
前記第１環境用送風路、第２環境用送風路は前記本体ケースの対面する２つの側面にそれぞれ沿って形成された請求項２記載の熱交換装置。
【請求項５】
前記第１、第２の熱交換器の第１環境用の積層ピッチまたは／および第２環境用の積層ピッチは、前記送風ファンから遠い側の熱交換器の積層ピッチを近い側の熱交換器の積層ピッチよりも大きくした請求項２〜４いずれかひとつに記載の熱交換装置。
【請求項６】
前記第１の熱交換器に設けた第１環境用の積層ピッチと前記第２の熱交換器に設けた第２環境用の積層ピッチを等しくし、前記第１の熱交換器に設けた第２環境用の積層ピッチと前記第２の熱交換器に設けた第１環境用の積層ピッチを等しくした請求項５記載の熱交換装置。
【請求項７】
前記熱交換器は、第１の熱交換器と第２の熱交換器であり、前記本体ケースの１つの側面側から、第１の熱交換器、第１の送風ファン、第２の熱交換器、第２の送風ファンの順で配置された請求項１記載の熱交換装置。
【請求項８】
前記第１、第２の熱交換器の第１環境の空気吸込口を第１の送風ファン側に向け、前記送風路は、第２の送風ファンから第１の熱交換器の第２環境の空気吸込口へと連絡する第２環境用送風路である請求項７記載の熱交換装置。
【請求項９】
前記第１の熱交換器の第２環境の空気吸込口、および、前記第２の熱交換器の第１環境の空気吸込口を第１の送風ファン側に向け、前記送風路は、第１の送風ファンから第１の熱交換器の第１環境の空気吸込口へと連絡する第１環境用送風路と、第２の送風ファンから第１の熱交換器の第２環境の空気吸込口へと連絡する第２環境用送風路である請求項７記載の熱交換装置。
【請求項１０】
前記第１の熱交換器の第２環境用の積層ピッチは、前記第２の熱交換器の第２環境用の積層ピッチよりも大きくした請求項７〜９いずれかひとつに記載の熱交換装置。
【請求項１１】
前記第１の熱交換器の第１環境用の積層ピッチは、前記第２の熱交換器の第１環境用の積層ピッチよりも大きくした請求項１０記載の熱交換装置。
【請求項１２】
前記送風路は、第１の送風ファンまたは／および第２の送風ファンは、前記送風路の開口部に向かうように回転する請求項１〜１１いずれかひとつに記載の熱交換装置。
【請求項１３】
前記第２環境用送風路を形成する前記本体ケースの側面に放熱装置を設けた請求項２〜１２いずれかひとつに記載の熱交換装置。
【請求項１４】
前記熱交換器は、Ｌ字状の送風レーンを設けた板体を積層して構成し、前記送風路の吹出空気は、前記熱交換器の長い送風レーン側に吹き出す請求項１〜１３いずれかひとつに記載の熱交換装置。
【請求項１５】
前記送風路の第１、第２の熱交換器の空気吸込口に対向した壁面は、熱交換器の長い送風レーン側が広い空間となるよう、熱交換器の空気吸込口面に対して傾斜した請求項１４記載の熱交換装置。
【請求項１６】
前記第１環境用送風路と前記第２環境用送風路とを仕切る壁面に熱交換手段を設けた請求項２〜１５いずれかひとつに記載の熱交換装置。
【請求項１７】
発熱体を収納したキャビネットと、このキャビネットの開口部に装着された請求項１〜１６のいずれか一つに記載の熱交換装置とを備えた発熱体収納装置。
【発明の詳細な説明】
【技術分野】
【０００１】
本発明は、熱交換装置とそれを用いた発熱体収納装置に関するものである。
【背景技術】
【０００２】
例えば、携帯電話の基地局は、数十アンペア以上の電流が流れることから、ある点では発熱体とも表現される。つまり、冷却をすることがその動作を安定化させるためには極めて重要なものとなる。このような携帯電話の基地局はその冷却を行う為に次のような構成をとっている（図９参照）。
【０００３】
すなわち、図示しないが、発熱体となる送・受信機を収納したキャビネットと、キャビネットの開口部に装着された熱交換装置（１０１）とを備えた構成となっていた。そして、図９に示すように、熱交換装置１０１の構造としては、外気用の第１吸込口１０７と第１吐出口１０８およびキャビネット内用の第２吸込口１０９および第２吐出口１１０を有する本体ケース１１１と、この本体ケース１１１内に設けられた外気用の第１送風機１１２およびキャビネット内用の第２送風機１１３と、前記本体ケース１１１内において室外空気とキャビネット内空気との熱交換を行う熱交換器１１４とを備えた構成となっていた（なお、これに類似する先行文献としては特開２０００−１６１８７５号公報）。
【特許文献１】特開２０００−１６１８７５号公報
【発明の開示】
【発明が解決しようとする課題】
【０００４】
上記従来の熱交換器においては、１つの本体ケース１１１内に１つの熱交換器１１４を備えた構成となっているため、熱交換器１１４は、本体ケース１１１の断面積を最大とする積層面積（風路断面積）となる。従って、所望の熱交換効率を得るためには、熱交換器１１４の大きさは、１枚の熱交換素子の面積を大きくしなければならない。すなわち、熱交換器１１４内を通過する風路の長さが長くなってしまい、結果として、熱交換器１１４での圧力損失が大きくなり、選定する送風機（第１送風機１１２、第２送風機１１３）の能力を大きくしなければならなかった。また、携帯電話の基地局は小型化がすすみ、熱交換装置本体に対しても、小型化することが要求されている。
【０００５】
そこで、本発明は、装置内の圧力損失を抑えて、熱交換効率を向上させ、結果として、熱交換装置を小型化することを目的とするものである。
【課題を解決するための手段】
【０００６】
そして、この目的を達成する為に本発明は、前面に第１環境用の第１吸気口と第１吐出口を設け、背面に第２環境用の第２吸気口および第２吐出口を設けた本体ケースと、この本体ケース内に設けられた第１の環境用の第１の送風ファンおよび第２の環境用の第２の送風ファンと、前記本体ケース内において第１環境の空気と第２環境の空気との熱交換を行う複数の熱交換器とを備え、前記第１、第２の送風ファンと複数の前記熱交換器を略一列に配置し、前記熱交換器と前記本体ケースの壁面との間に前記第１または／および第２の送風ファンから前記熱交換器へと連絡する送風路を設け、これにより、所期の目的を達成するものである。
【発明の効果】
【０００７】
以上のように本発明は、前面に第１環境用の第１吸気口と第１吐出口を設け、背面に第２環境用の第２吸気口および第２吐出口を設けた本体ケースと、この本体ケース内に設けられた第１の環境用の第１の送風ファンおよび第２の環境用の第２の送風ファンと、前記本体ケース内において第１環境の空気と第２環境の空気との熱交換を行う複数の熱交換器とを備え、前記第１、第２の送風ファンと複数の前記熱交換器を略一列に配置し、前記熱交換器と前記本体ケースの壁面との間に前記第１または／および第２の送風ファンから前記熱交換器へと連絡する送風路を設けたものであるので、熱交換効率を向上させることができる。すなわち、本発明においては、熱交換器を複数に分け、個々の熱交換器の風路長を短くすることができるので、装置内の圧力損失を抑えて、熱交換効率を向上させ、結果として、熱交換装置を小型化することを目的とするものである。
【発明を実施するための最良の形態】
【０００８】
以下、本発明の実施の形態について図面を参照しながら説明する。
【０００９】
（実施の形態１）
図１において、１はビルディングを示し、その屋上２には携帯電話の基地局３が設けられている。基地局３は箱状のキャビネット４とこのキャビネット４内に設けた送・受信機５と前記キャビネット４の前面開口部にドアのごとく開閉自在に設けた熱交換装置６とにより構成されている。
【００１０】
この熱交換装置６は、図２、図３に示すように、外気（第１環境）用の第１吸気口７と第１吐出口８ａ、８ｂおよびキャビネット４内（第２環境、以降、内気と呼ぶ）用の第２吸気口９および第２吐出口１０ａ、１０ｂを有する本体ケース１１と、この本体ケース１１内に設けられた外気用の第１送風ファン１２、およびキャビネット４内、すなわち内気用の第２送風ファン１３と、前記本体ケース１１内において外気と内気との熱交換を行う第１熱交換器１４、第２熱交換器１５とを備えている。第１送風ファン１２、第１熱交換器１４、第２熱交換器１５、第２送風ファン１３は、この順で下からほぼ一列に並んで配置されている。
【００１１】
詳細には図示しないが、第１熱交換器１４、第２熱交換器１５はともに、長方形状で合成樹脂製の複数の板体をそれぞれ所定間隔を離した状態で重合させた構成としている。この板体の表面には、その表面をレーン状に仕切る複数の整流壁をそれぞれ設けている。板体は上下方向に長い長方形状となっており、前記整流壁は、流入口となる前記板体の一端から他端側に向けて伸延させている。この整流壁は、前記他端側の手前で一方の長辺側に湾曲させる形状とし、流出口につながっている。このような板体（整流壁）によって、板体上にＬ字状の複数の送風レーンができることになる。このような熱交換器（第１熱交換器１４、第２熱交換器１５）によれば、図２に示すように、第１熱交換器１４、第２熱交換器１５ともに、内気（第２環境用風路）については、キャビネット４側に短い送風レーンが設けられ、外気側に長い送風レーンが設けられる。一方、外気（第１環境用風路）については、キャビネット４側に長い送風レーンが設けられ、外気側に短い送風レーンが設けられる。
【００１２】
このような第１熱交換器１４、第２熱交換器１５は、ともに、底面を外気側の流入口（第１流入口１４ａ、１５ａ）とし、外気側の流出口は、それぞれ第１吐出口８ａ、８ｂと接続されている。また、第１熱交換器１４、第２熱交換器１５ともに、天面を内気側の流入口（第２流入口１４ｂ、１５ｂ）とし、内気側の流出口は、それぞれ第２吐出口１０ａ、１０ｂと接続されている。
【００１３】
図３に示すように、第１熱交換器１４と本体ケース１１の側面１１ａとの間には、第１送風ファン１２から第２熱交換器１５へと通じる外気送風路１６（第１環境用送風路）が設けられている。また、第２熱交換器１５と本体ケース１１の側面１１ａとの間には、第２送風ファン１３から第１熱交換器１４へと通じる内気送風路１７（第２環境用送風路）が設けられている。
【００１４】
図４に示すように、第１熱交換器１４と第２熱交換器１５との間では、外気送風路１６と内気送風路１７とが交差するように構成されている。すなわち、第１熱交換器１４の天面側と、第２熱交換器１５の底面（第１流入口１５ａ）側とを仕切るように風路仕切板１８が設けられている。この風路仕切板１８の上側（第２熱交換器１５側）と外気送風路１６が連通するよう、さらに、風路仕切板１８の下側（第１熱交換器１４側）と内気送風路１７が連通するよう、風路交差部１９が設けられている。風路交差部１９では、本体ケース１１の側面１１ａ、風路仕切板１８双方に直交する交差部仕切板１９ａで縦に仕切られている。
【００１５】
さて、以上のような構成によれば、キャビネット４内で送・受信機５によって高温となった空気（内気）は、熱交換装置６の第２吸気口９から第２送風ファン１３に吸引される。第２送風ファン１３から吹き出された空気は、一部は第２熱交換器１５の第２流入口１５ｂへと送られ、残りの空気は内気送風路１７を経由して第１熱交換器１４の第２流入口１４ｂへと送られる。一方、冷たい外気は，第１送風ファン１２の運転によって第１吸気口７から吸い込まれ、一部は第１熱交換器１４の第１流入口１４ａへと送られ、残りの外気は外気送風路１６を経由して第２熱交換器１５の第１流入口１５ａへと送られる。第１熱交換器１４、第２熱交換器１５では、冷たい外気と高温の内気との間で熱交換が行われ、冷やされた内気は、第２吐出口１０ａ、１０ｂからキャビネット４内に吹き出され、外気は、第１吐出口８ａ，８ｂより再び外気へと放出されることになる。
【００１６】
次に、風路交差部１９での空気の流れについて説明する。外気送風路１６は、図４において交差部仕切板１９ａの奥側を通過し、第２熱交換器１５へと導かれる。すなわち、外気送風路１６は、風路交差部１９を通過するときに第２熱交換器１５の長い送風レーン側から噴出されることになる。同様に、内気送風路１７は交差部仕切板１９ａの手前側を通過し、第１熱交換器１４へと導かれる。内気送風路１７は、風路交差部１９を通過するときに第１熱交換器１４の長い送風レーン側から吹き出されることになる。
【００１７】
このように、２つの熱交換器（第１熱交換器１４、第２熱交換器１５）を用いた場合には、１つの熱交換器を用いた場合に比べ、通過する風路の長さを短く抑えることができる。そのため、熱交換器を通過する風速を小さくして熱交換効率を向上させることが可能になる。
【００１８】
また、風路交差部１９では、第１熱交換器１４、第２熱交換器１５の長い送風レーン側に吹き出すことによって、圧力損失の大きい側に高い圧力をかけることになり、結果として長短異なる送風レーン間で通過風量のバランスを取り、熱交換効率の向上につなげることができる。
【００１９】
なお、図示しないが、外気送風路１６と内気送風路１７を仕切る風路仕切板１８には、放熱板を設けることによって、外気送風路１６と内気送風路１７間で熱交換を促進することができる。この放熱板は、風路内の空気が流れる方向に平行に放熱フィンを設けると良い。
【００２０】
さらに、高温の内気が通過する内気送風路１７には、本体ケース１１の側面１１ａ側に放熱板を設け、外気との熱交換を促進することが可能になる。
【００２１】
また、風路交差部１９に内部で風路が交差する熱交換器を用いることによって、風路の交差が実現できるとともに、外気送風路１６と内気送風路１７間で熱交換することが可能になる。
【００２２】
また、風路仕切板１８は、長い送風レーンとなる側が広い空間となるように傾斜させると良い。すなわち、図４においては、内気送風路１７から第１熱交換器１４に送り込まれる空気（内気）は手前側が長い送風レーンとなっているので、風路仕切板１８は手前側から奥に向かって下がる傾斜を設ける。このような構成によれば、長い送風レーン側に送る空気の量を多くすることが可能になり、結果として長短異なる送風レーン間で通過風量のバランスを取り、熱交換効率の向上につなげることができる。
【００２３】
また、第２熱交換器１５の外気側の積層ピッチは、第１熱交換器１４の外気側の積層ピッチよりも大きくすると良い。すなわち、第２熱交換器１５は、第１送風ファン１２から遠い位置にあるために空気の通過経路が長くなる。そのため、長い経路となる側の熱交換器の積層ピッチを大きくすることによって、第１熱交換器１４と第２熱交換器１５を通過する外気の量のバランスを取ることができ、結果として熱交換効率が向上することになる。同様に、第１熱交換器１４の内気側の積層ピッチは、第２熱交換器１５の外気側の積層ピッチよりも大きくすることによって、第１熱交換器１４と第２熱交換器１５を通過する内気の量のバランスを取ることができる。
【００２４】
さらには、第１熱交換器１４の外気側の積層ピッチと第２熱交換器１５の内気側の積層ピッチを等しくし、第１熱交換器１４の内気側の積層ピッチと第２熱交換器１５の外気側の積層ピッチを等しくするとよい。このような構成によれば、第１熱交換器１４と第２熱交換器１５の熱交換効率のバランスを取ることができ、熱交換装置６全体としての熱交換効率が向上することになる。
【００２５】
また、第１送風ファン１２（第２送風ファン１３）の回転方向は、外気送風路１６（内気送風路１７）の開口に向けて回転する方向がよい。すなわち、第１送風ファン１２を例にして説明すると、図３で示すように、第１吸気口７側から第１送風ファン１２を見た場合には、第１送風ファン１２の左側上方に外気送風路１６が設けられているが、第１送風ファン１２の回転方向は時計回りになるようにして、外気送風路１６側の第１送風ファン１２の回転方向を示す接線矢印（第１送風ファン回転方向１２ａ）が、外気送風路１６側を向くようにする。
【００２６】
（実施の形態２）
図５を用いて、本発明の第２の実施の形態について説明する。
【００２７】
本実施の形態では、第１の実施の形態と同様、本体ケース１１内に、第１送風ファン１２、第１熱交換器１４、第２熱交換器１５、第２送風ファン１３が、この順で下からほぼ一列に並んで配置されている。さらに、本実施の形態では、本体ケース１１の側面１１ｂと第１熱交換器１４との間に外気送風路１６が設けられ、側面１１ｂの対面となる側面１１ａと第２熱交換器１５との間に内気送風路１７が設けられている。すなわち、第１熱交換器１４の天面と第２熱交換器１５の底面は外気送風路１６（内気送風路１７）の水平断面積分だけずらした配置となっている。第１熱交換器１４と第２熱交換器１５との間は、第１熱交換器１４の天面の外気送風路１６側の辺と第２熱交換器１５の底面の内気送風路１７側の辺とを結ぶ風路の仕切板２１で仕切られている。
【００２８】
このような構成によれば、２つの熱交換器（第１熱交換器１４、第２熱交換器１５）を用いた場合には、１つの熱交換器を用いた場合に比べ、通過する風路の長さを短く抑えることができる。そのため、熱交換器を通過する風速を小さくして熱交換効率を向上させることが可能になる。
【００２９】
また、第１の実施形態と同様、第２熱交換器１５の外気側の積層ピッチは、第１熱交換器１４の外気側の積層ピッチよりも大きくすると良い。さらに、第１熱交換器１４の内気側の積層ピッチは、第２熱交換器１５の外気側の積層ピッチよりも大きくすると良い。また、第１熱交換器１４の外気側の積層ピッチと第２熱交換器１５の内気側の積層ピッチを等しくし、第１熱交換器１４の内気側の積層ピッチと第２熱交換器１５の外気側の積層ピッチを等しくするとよい。
【００３０】
なお、図示しないが、外気送風路１６と内気送風路１７を仕切る風路の仕切板２１には、放熱板を設けることによって、外気送風路１６と内気送風路１７間で熱交換を促進することができる。
【００３１】
さらに、高温の内気が通過する内気送風路１７には、本体ケース１１の側面１１ｂ側に放熱板を設けるとよい。
【００３２】
また、風路の仕切板２１は、長い送風レーンとなる側が広い空間となるように傾斜させると良い。
【００３３】
（実施の形態３）
図６、７を用いて第３の実施の形態について説明する。
【００３４】
本実施の形態では、本体ケース１１内に、第１熱交換器１４、第１送風ファン１２、第２熱交換器１５、第２送風ファン１３が、この順で下からほぼ一列に並んで配置されている。第１熱交換器１４は、天面に第１流入口１４ａを設け、底面に第２流入口１４ｂを設けている。第２熱交換器１５は、底面に第１流入口１５ａを設け、底面に第２流入口１５ｂを設けている。本体ケース１１の側面１１ａと第１熱交換器１４、第２熱交換器１５との間には、内気送風路３１が設けられ、第２送風ファン１３と第１熱交換器１４の第２流入口１４ｂとを連通している。
【００３５】
以上のような構成によれば、キャビネット４内で送・受信機５によって高温となった空気（内気）は、熱交換装置６の第２吸気口９から第２送風ファン１３に吸引される。第２送風ファン１３から吹き出された空気は、一部は第２熱交換器１５の第２流入口１５ｂへと送られ、残りの空気は内気送風路３１を経由して第１熱交換器１４の第２流入口１４ｂへと送られる。一方、冷たい外気は、第１送風ファン１２の運転によって第１吸気口７から吸い込まれ、一部は第１熱交換器１４の第１流入口１４ａへ、残りの外気は第２熱交換器１５の第１流入口１５ａへと分かれて送られる。第１熱交換器１４、第２熱交換器１５では、冷たい外気と高温の内気との間で熱交換が行われ、冷やされた内気は、第２吐出口１０ａ、１０ｂからキャビネット４内に吹き出され、外気は、第１吐出口８ａ，８ｂより再び外気へと放出されることになる。
【００３６】
このような構成によれば、２つの熱交換器（第１熱交換器１４、第２熱交換器１５）を用いて、熱交換器を通過する風路の長さを短く抑えることができる。そのため、熱交換器を通過する風速を小さくして熱交換効率を向上させることが可能になる。
【００３７】
また、第１熱交換器１４の内気側の積層ピッチは、第２熱交換器１５の内気側の積層ピッチよりも大きくすると良い。すなわち、第１熱交換器１４は、第２送風ファン１３から遠い位置にあるために空気の通過経路が長くなる。そのため、長い経路となる側の熱交換器の積層ピッチを大きくすることによって外気と内気の風量バランスを取ることができ、結果として熱交換効率が向上することになる。さらに、第１熱交換器１４の内気側の積層ピッチを大きくしたのにあわせて、第１熱交換器１４の外気側の積層ピッチを第２熱交換器１５の外気側の積層ピッチよりも大きくすると良い。
【００３８】
また、図示しないが、高温の内気が通過する内気送風路３１には、本体ケース１１の側面１１ａ側に放熱板を設けるとよい。
【００３９】
さらに、第１送風ファン１２を設けた区画（第１環境用の送風路となる部分）と内気送風路３１とを仕切る壁面３１ａには、放熱板を設けることによって、外気と内気送風路３１とを通過する空気の間で熱交換を促進することができる。
【００４０】
（実施の形態４）
図８を用いて第４の実施の形態について説明する。
【００４１】
図８に示すように、本体ケース１１内に、第１熱交換器１４、第１送風ファン１２、第２熱交換器１５、第２送風ファン１３が、この順で下からほぼ一列に並んで配置されている。第１熱交換器１４は、天面に第２流入口１４ｂを設け、底面に第１流入口１４ａを設けている。第２熱交換器１５は、底面に第１流入口１５ａを設け、底面に第２流入口１５ｂを設けている。本体ケース１１の側面１１ｂと第１熱交換器１４との間に外気送風路３２が設けられ、第１送風ファン１２と、第１熱交換器１４とを結んでいる。側面１１ｂの対面となる側面１１ａと第２熱交換器１５との間には、内気送風路３３が設けられて、第２送風ファン１３と第１熱交換器１４とを結んでいる。第１送風ファン１２と第１熱交換器１４との間は、内気送風路３３を通すように仕切板３４が設けられている。
【００４２】
このような構成によれば、キャビネット４内で送・受信機５によって高温となった空気（内気）は、熱交換装置６の第２吸気口９から第２送風ファン１３に吸引される。第２送風ファン１３から吹き出された空気は、一部は第２熱交換器１５の第２流入口１５ｂへと送られ、残りの空気は内気送風路３３を経由して第１熱交換器１４の第２流入口１４ｂへと送られる。一方、冷たい外気は、第１送風ファン１２の運転によって第１吸気口７から吸い込まれ、一部は第２熱交換器１５の第１流入口１５ａへ、残りの外気は外気送風路３２を経由して第１熱交換器１４の第１流入口１４ａへと分かれて送られる。第１熱交換器１４、第２熱交換器１５では、冷たい外気と高温の内気との間で熱交換が行われ、冷やされた内気は、第２吐出口１０ａ、１０ｂからキャビネット４内に吹き出され、外気は、第１吐出口８ａ，８ｂより再び外気へと放出されることになる。
【００４３】
一方、第１吸気口７は外気を吸い込むため、雨水などが混入する可能性がある。第１熱交換器１４は、第１送風ファン１２の下部にもうけられているが、外気送風路３２、内気送風路３３および仕切板３４によって外気からの水分が直接さらされることがなくなる。
【００４４】
なお、図示しないが、高温の内気が通過する内気送風路３３には、本体ケース１１の側面１１ａ側に放熱板を設けるとよい。
【００４５】
さらに、第１送風ファン１２を設けた区画（第１環境用の送風路となる部分）と内気送風路３３とを仕切る仕切板３４には、放熱板を設けることによって、外気と内気送風路３３とを通過する空気の間で熱交換を促進することができる。
【産業上の利用可能性】
【００４６】
以上のように本発明は、前面に第１環境用の第１吸気口と第１吐出口を設け、背面に第２環境用の第２吸気口および第２吐出口を設けた本体ケースと、この本体ケース内に設けられた第１の環境用の第１の送風ファンおよび第２の環境用の第２の送風ファンと、前記本体ケース内において第１環境の空気と第２環境の空気との熱交換を行う複数の熱交換器とを備え、前記第１、第２の送風ファンと複数の前記熱交換器を略一列に配置し、前記熱交換器と前記本体ケースの壁面との間に前記第１または／および第２の送風ファンから前記熱交換器へと連絡する送風路を設けたものであるので、熱交換効率を向上させることができる。すなわち、本発明においては、熱交換器を複数に分け、個々の熱交換器の風路長を短くすることができるので、圧力損失を抑え、結果として熱交換効率を向上させることができるのである。従って、例えば、設置面積が限られる通信機器の基地局や、その他屋外設置機器における冷却設備としてきわめて有用なものとなる。
【図面の簡単な説明】
【００４７】
【図１】本発明の一実施形態の設置例を示す斜視図
【図２】本発明の一実施形態の熱交換装置の断面図
【図３】本発明の一実施形態の熱交換装置の分解斜視図
【図４】本発明の一実施形態の熱交換装置の風路交差部の詳細斜視図
【図５】本発明の第２の実施形態の熱交換装置の分解斜視図
【図６】本発明の第３の実施形態の熱交換装置の断面図
【図７】本発明の第３の実施形態の熱交換装置の分解斜視図
【図８】本発明の第４の実施形態の熱交換装置の分解斜視図
【図９】従来の熱交換装置の構成図
【符号の説明】
【００４８】
１      ビルディング
２      屋上
３      基地局
４      キャビネット
５      送・受信機
６      熱交換装置
７      第１吸気口
８ａ    第１吐出口
８ｂ    第１吐出口
９      第２吸気口
１０ａ  第２吐出口
１０ｂ  第２吐出口
１１    本体ケース
１２    第１送風ファン
１３    第２送風ファン
１４    第１熱交換器
１５    第２熱交換器
１６    外気送風路
１７    内気送風路
１８    風路仕切板
１９    風路交差部
２１    仕切板
３１    内気送風路
３２    外気送風路
３３    内気送風路
３４    仕切板
【図１】
2011220537.tif 000003
【図２】
2011220537.tif 000004
【図３】
2011220537.tif 000005
【図４】
2011220537.tif 000006
【図５】
2011220537.tif 000007
【図６】
2011220537.tif 000008
【図７】
2011220537.tif 000009
【図８】
2011220537.tif 000010
【図９】
2011220537.tif 000011